(57)【要約】      （修正有）【課題】開発ボードを速やかに差し込み、ワイヤの使用を減らすか排除することができ、安定性を向上させるブレッドボードモジュールを提供する。【解決手段】少なくとも１つのブレッドボードと回路基板と蓋部とを含むブレッドボードモジュールであって、ブレッドボード２には、少なくとも１つの第１差込エリア２１と基板スロット２２が形成される。第１差込エリアに複数の第１のソケット２１１が形成され少なくとも１つの端子群２１２が設けられる。回路基板３は、基板スロットに設けられ、サイド案内部３１と差込部材３２とを有する。第１差込エリアの外側の導電端子がサイド案内溝３１１内に対向する。蓋部４は、ブレッドボードと回路基板をカバーし、第１のソケットに連通された複数の貫通孔４１を備える。ブレッドボードは、導電端子を介してサイド案内溝に接続し、回路基板に電気的に接続し、回路基板に開発ボードを直接差し込むことができる。【選択図】図３
0003231589.tif 000002
【実用新案登録請求の範囲】
【請求項１】
複数の第１のソケットが形成されると共に、複数の導電端子を有する少なくとも１つの端子群が設けられた少なくとも１つの第１の差込エリアと、少なくとも１つの基板スロットとが形成された少なくとも１つのブレッドボードと、
前記基板スロットに設けられており、前記導電端子と電気的に接続される複数のサイド案内溝を有するサイド案内部と、差込部材とを備える少なくとも１つの回路基板と、
前記ブレッドボード、及び前記回路基板をカバーすると共に、前記第１のソケットと連通する複数の貫通孔を有する少なくとも１つの蓋部とを含む、ことを特徴とする回路基板を持つブレッドボードモジュール。
【請求項２】
前記第１の差込エリアは、複数のリブと外部リブとを有し、
前記第１のソケットが前記リブと前記外部リブとの間に形成される、
ことを特徴とする請求項１に記載の回路基板を持つブレッドボードモジュール。
【請求項３】
前記端子群は、少なくとも１つの係合溝を有し、
前記係合溝は、隣接する導電端子の間に形成され、前記リブ、及び前記外部リブと相互に組み付けられ、
前記端子群の一部の導電端子が前記第１のソケット内に設けられ、
前記端子群の少なくとも１つの導電端子が前記外部リブの外側に突出して前記サイド案内溝に設けられている、
ことを特徴とする請求項２に記載の回路基板を持つブレッドボードモジュール。
【請求項４】
前記ブレッドボードは、少なくとも１つの第２の差込エリアをさらに有し、前記第２の差込エリアに複数の第２のソケットが形成され、
前記蓋部の複数の前記貫通孔が前記第２のソケットに連通されている、
ことを特徴とする請求項１に記載の回路基板を持つブレッドボードモジュール。
【請求項５】
前記基板スロットに少なくとも１つの組立部が形成され、
前記回路基板は、前記組立部と互いに組み立てられるための少なくとも１つの組立孔を有する、ことを特徴とする請求項１に記載の回路基板を持つブレッドボードモジュール。
【請求項６】
前記回路基板に、前記サイド案内溝に電気的に接続された複数の発光素子が形成され、
前記発光素子上に少なくとも１つのランプシェードが設けられ、
前記蓋部には前記ランプシェードを設置するための複数のランプ孔が形成される、
ことを特徴とする請求項１に記載の回路基板を持つブレッドボードモジュール。
【請求項７】
前記ブレッドボードに電源エリア、デジタル回路エリア、アナログ回路エリア、及び信号伝送エリアをさらに形成される、
ことを特徴とする請求項６に記載の回路基板を持つブレッドボードモジュール。
【請求項８】
前記基板スロットに対向する前記蓋部の側に開口部が形成され、
前記差込部材は前記開口部内に対向して設けられている、
ことを特徴とする請求項１に記載の回路基板を持つブレッドボードモジュール。
【請求項９】
前記ブレッドボードに電池ボックスがさらに形成され、
前記電池ボックス内に少なくとも１つの電源部材が設けられている、
ことを特徴とする請求項１に記載の回路基板を持つブレッドボードモジュール。
【請求項１０】
前記導電端子は、Ｖ字状の金属製の板ばねである、
ことを特徴とする請求項１に記載の回路基板を持つブレッドボードモジュール。
【考案の詳細な説明】
【技術分野】
【０００１】
本考案は、ブレッドボードモジュールに関し、特に、開発ボードを速やかに差し込むこと、差し込みの回数を削減すること、及び安定性を向上させることが可能な回路基板を持つブレッドボードモジュールに関する。
【背景技術】
【０００２】
市場で電子工程に使用される開発ボードは、最も少量のサポートロジック回路を備えるプリント基板である。さらに、開発ボードは、サポートロジック回路を少量持つことに加えて、一部の開発ボードにはMCUが追加されていることがある。また、開発ボードは、サポートロジック回路やMCU（Micro Controller Unit）を初めて学習する人でも、動作原理や使用方法を速く把握できる外、開発ボードによってMCUのIOと外部拡張回路のインターフェースがシステム要件を満たしているかどうかを検証することができるし、プログラムの実行可能性を検証することができ、さらに、エンジニアは、特定のMCUの特性に精通することで、それに対してプログラミングすることができる。  
システム開発ボードを直接使用すると、特定のデバイスの開発、特に嵌め込み型システム機器の開発について加速することもできる。現在の市場において、多くの開発ボードがすでに出回っていてエンジニアが使用することができ、例えば、Arduino開発ボード、ラズベリーパイ（Raspberry Pi）、Intel Edison開発ボード（Galileo）、LinkIt（LinkIt Oneとも呼ばれる）プラットフォーム、または国内のBanana Pi（Banana Pi）などは、いずれも、特定のプロセッサアーキテクチャ（ARMまたはx86）に基づいて開発され、エンジニアが後続の開発またはアプリケーションを完了することができるように、特定のハードウェア設計、及びI/O周辺デバイスを有する。  
さらに、エンジニアが開発ボードを使用してその後の開発を行う場合、試作用基板も同時に使用され、事前に結線回路を構築する。試作用基板とは、一般にはんだ付けが不要なソルダーレスブレッドボード、すなわち食用のパンの板と呼ばれる基板であるが、開発ボードとブレッドボードとの間で回路実験を行うときは、開発ボードとブレッドボードの間の信号伝送、及び電源供給の差し込みには電線または信号伝送線を使用するか、信号伝送、及び電源供給の差し込みには別の回路基板で電線または信号伝送線を使用する必要があり、このような差込方式は、操作やアナログ回路に不便を引き起こしやすく、しかも、不完全な差し込みが発生しやすく、電気導通できず安定性が低いという問題が生じる。  
また、図１は、従来のブレッドボードの分解図であり、図１に示すように、ブレッドボード６は、主に、差込蓋６１と、回路基板６２と、ベース６３とを有し、ここで、回路基板６２に複数の導電端子６２１が溶接され、差込蓋６１は回路基板６２に組み立てられ、これらの導電端子６２１は、差込蓋６１の下側から差込蓋６１のソケット６１１に差し込まれ、差込蓋６１と回路基板６２とは、前記導電端子６２１で固定的に設けられている。回路基板６２が損傷または故障した場合、回路基板６２を差込蓋６１から直接取り外すことができないため、ブレッドボード６全体を交換する必要があり、交換コストが発生することになる。
【０００３】
したがって、上記の欠点をどのように改善するかは、本考案の創作者が解決しようとする技術的困難である。
【考案の概要】
【考案が解決しようとする課題】
【０００４】
これに鑑みて、前記の問題を効果的に解決するために、本考案の主な目的は、開発ボードを速やかに差し込むことができ、ワイヤの使用を削減または排除することができ、安定性を向上させることが可能な回路基板を持つブレッドボードモジュールを提供することである。
【０００５】
本考案の次の目的は、電源モジュールを差し込む必要性を排除することが可能な回路基板を持つブレッドボードモジュールを提供することである。
【０００６】
本考案の他の目的は、交換コストを削減することが可能な回路基板を持つブレッドボードモジュールを提供することである。
【課題を解決するための手段】
【０００７】
前記の目的を達成するため、本考案は、回路基板を持つブレッドボードモジュールを提供し、前記ブレッドボードモジュールは、少なくとも１つのブレッドボードと、少なくとも１つの回路基板と、少なくとも１つの蓋部とを含み、前記ブレッドボードには、少なくとも１つの第１差込エリアと少なくとも１つの基板スロットとが形成され、前記第１差込エリアは、前記基板スロットに隣接し、前記第１差込エリアに複数の第１のソケットがさらに形成され、これらの複数の第１のソケットに複数の導電端子を有する少なくとも１つの端子群が設けられ、前記端子群の導電端子の一部が前記第１のソケット内に設けられ、前記導電端子の一部が前記第１の差込エリアの外側に対向して設けられ、前記回路基板は前記基板スロットに設けられ、前記回路基板は、サイド案内部と差込部材とを有し、前記サイド案内部は、複数のサイド案内溝をさらに有し、前記第１差込エリアの外側に設けられた導電端子がサイド案内溝内に対向して設けられ、さらに、前記蓋部は、前記ブレッドボードと前記回路基板とをカバーし、前記第１のソケットに連通された複数の貫通孔を備えることによって、前記ブレッドボードは、前記導電端子を介して前記サイド案内溝に接続し、前記回路基板に電気的に接続する目的を達成し、前記回路基板には開発ボードを直接差し込むことができるため、開発ボードを速やかに差し込むことができ、ワイヤの使用を減らすか排除することで安定性を向上させる効果を達成することができる。
【０００８】
本考案に係る回路基板を持つブレッドボードモジュールの一実施形態によれば、前記第１の差込エリアは、複数のリブと外部リブとを有し、前記第１のソケットが前記リブと前記外部リブとの間に形成される。
【０００９】
本考案に係る回路基板を持つブレッドボードモジュールの一実施形態によれば、前記端子群は、少なくとも１つの係合溝を有し、前記係合溝は、隣接する導電端子の間に形成され、前記リブ、及び前記外部リブと相互に組み付けられ、前記端子群の一部の導電端子が前記第１のソケット内に設けられ、前記端子群の少なくとも１つの導電端子が前記外部リブの外側に突出して前記サイド案内溝に設けられている。
【００１０】
本考案に係る回路基板を持つブレッドボードモジュールの一実施形態によれば、前記ブレッドボードは、少なくとも１つの第２の差込エリアをさらに有し、前記第２の差込エリアに複数の第２のソケットが形成され、前記蓋部の複数の前記貫通孔が前記第２のソケットに連通されている。
【００１１】
本考案に係る回路基板を持つブレッドボードモジュールの一実施形態によれば、前記基板スロットに少なくとも１つの組立部が形成され、前記回路基板は、前記組立部と互いに組み立てられるための少なくとも１つの組立孔を有する。
【００１２】
本考案に係る回路基板を持つブレッドボードモジュールの一実施形態によれば、前記回路基板に前記サイド案内溝に電気的に接続された複数の発光素子が形成され、前記発光素子上に少なくとも１つのランプシェードが設けられ、前記蓋部には前記ランプシェードを設置するための複数のランプ孔が形成される。
【００１３】
本考案に係る回路基板を持つブレッドボードモジュールの一実施形態によれば、前記ブレッドボードに電源エリア、デジタル回路エリア、アナログ回路エリア、及び信号伝送エリアをさらに形成される。
【００１４】
本考案に係る回路基板を持つブレッドボードモジュールの一実施形態によれば、前記基板スロットに対向する前記蓋部の側に開口部が形成され、前記差込部材は前記開口部内に対向して設けられている。
【００１５】
本考案に係る回路基板を持つブレッドボードモジュールの一実施形態によれば、前記ブレッドボードに電池ボックスがさらに形成され、前記電池ボックス内に少なくとも１つの電源部材が設けられている。
【図面の簡単な説明】
【００１６】
【図１】図１は、従来のブレッドボードの分解図である。
【図２】図２は、本考案における好ましい実施形態の組合斜視図である。
【図３】図３は、本考案における好ましい実施形態の分解斜視図である。
【図４】図４は、本考案における好ましい実施形態の部分的な組合斜視図である。
【図５】図５は、本考案における好ましい実施形態の使用図である。
【図６】図６は、本考案のブレッドボードの使用図である。
【考案を実施するための形態】
【００１７】
本考案の上記の目的、その構造的、及び機能的特徴について、添付の図面における好ましい実施形態に基づいて説明される。
【００１８】
図２、図３、及び図４は、本考案における好ましい実施形態の組合斜視図、分解斜視図、及び部分的な組合斜視図である。図２、図３、及び図４を参照し、図から明らかに分かるように、ブレッドボードモジュール１は、少なくとも１つのブレッドボード２と、少なくとも１つの回路基板３と、少なくとも１つの蓋部４とを含む。
【００１９】
ブレッドボード２には、少なくとも１つの第１の差込エリア２１、少なくとも１つの基板スロット２２、少なくとも１つの第２の差込エリア２３、及び少なくとも１つの電池ボックス２４が形成され、ここでは、第１の差込エリア２１に複数の第１のソケット（穴）２１１、及び少なくとも１つの端子群２１２が設けられている。端子群２１２は、直列に接続された複数の導電端子２１２１を有し、これらの導電端子２１２１は、Ｖ字状の金属製の板ばねであり、端子群２１２は、各導電端子２１２１の間に係合溝２１２２が形成される。また、第１の差込エリア２１は、複数のリブ２１３と外部リブ２１４とを有し、第１のソケット２１１がリブ２１３と外部リブ２１４との間に形成される。さらに、係合溝２１２２は、リブ２１３、及び外部リブ２１４と互いに組み立てられ、端子群２１２の導電端子２１２１の一部が第１のソケット２１１内に設けられると共に、その少なくとも１つの導電端子２１２１が外部リブ２１４の外側に突出して設けられている。基板スロット２２に少なくとも１つの組立部２２１が形成される。また、第２の差込エリア２３に、互いに電気的に接続された導電部材（図示せず）を有する複数の第２のソケット２３１が形成される。また、電池ボックス２４内に、第１のソケット２１１内の端子群２１２、及び第２のソケット２３１内の導電部材に電気的に接続された少なくとも１つの電源部材２４１が設けられている。
【００２０】
ここで、回路基板３は、基板スロット２２内に設けられ、回路基板３の側辺には少なくとも１つのサイド案内部３１が形成され、回路基板３には、差込部材３２と少なくとも１つの組立孔３３と複数の発光素子３４とが設けられている。ここで、サイド案内部３１は、複数のサイド案内溝３１１を有し、第１の差込エリア２１の外側に設けられた導電端子２１２１は、サイド案内溝３１１内に対向して設けられている。組立孔３３と組立部２２１とが相互に組み合わされる。また、これらの発光素子３４が、対応するサイド案内溝３１１に電気的に接続され、発光素子３４に少なくとも１つのランプシェード３４１が設けられ、ランプシェード３４１は、発光部材３４を覆っている。
【００２１】
蓋部４は、ブレッドボード２と回路基板３とを覆い、第１のソケット２１１、及び第２のソケット２３１と連通する複数の貫通孔４１を備える。さらに、蓋部４は、複数のランプ孔４２と少なくとも１つの開口部４３とを有し、これらのランプ孔４２は、ランプシェード３４１を設けるために設置され、差込部材３２が開口部４３に対向して設けられている。
【００２２】
図５は、本考案における好ましい実施形態の使用図である。前述の図面、及び図５を同時に参照し、図から明らかに分かるように、ブレッドボードモジュール１が使用される場合、開発ボード５を差込部材３２に直接差し込んで、電子部品またはワイヤを蓋部４の貫通孔４１に直接挿入して、第１のソケット２１１、及び第２のソケット２３１の端子群２１２、及び導電部材に電気的に接続し、さらに、回路基板３にブレッドボード２を直接電気的に接続するように、端子群２１２の導電端子２１２１が回路基板３のサイド案内溝３１１、及びサイド案内部３１に電気的に接続され、回路基板３は、開発ボード５に直接電気的に接続することができる。電池ボックス２４の電源部材２４１は、第１のソケット２１１の端子群２１２、及び第２のソケット２３１の導電部材に直接電力を供給することができるため、ブレッドボード２は、導電端子２１２１を介してサイド案内溝３１１に接続されることで、回路基板３との電気的接続の目的を達成する。さらに、導電端子２１２１がＶ字状の金属製の板ばねであるため、導電端子２１２１をサイド案内溝３１１に設置すると、サイド案内溝３１１の内壁が導電端子２１２１を押して締め付け効果を発揮し、回路基板３を開発ボード５に直接接続することができることによって、ブレッドボード２と回路基板３との間で信号伝送、及び電源供給の差し込みにはワイヤまたは信号伝送ラインを使用する必要がなくなるため、開発ボード５を速やかに差し込むことができ、そしてワイヤの使用を削減または排除し、安定性を向上させるための効果を達成できる。さらに、各端子群２１２が電子部品またはワイヤで電気的に接続され、電源部材２４１によって電力が供給される場合、ユーザーは差し込み箇所が通電されているかどうかを分かるように、端子群２１２に対応する側の発光素子が光源を生成し、ランプシェード３４１から透過することで、ブレッドボードモジュールを用いて回路試験を容易に行う効果を達成することができる。さらに、損傷または故障が発生した場合、回路基板３のみをこれらの端子群２１２から直接分離し、基板スロット２２から取り外すだけで十分であるので、回路基板３を直接交換することができ、交換コストを削減する効果を達成することができる。
【００２３】
図６は、本考案に係るブレッドボードの使用図である。前述の図面と図６を同時に参照し、図から明らかに分かるように、ブレッドボード２は、第２の差込エリア２３内に電力エリア２５、デジタル回路エリア２６、アナログ回路エリア２７、及び信号伝送エリア２８をさらに設定することができ、ここで、電源エリア２５、デジタル回路エリア２６、アナログ回路エリア２７、及び信号伝送エリア２８は、ブレッドボードモジュール１を製造するときに同時に設定すると共に回路の設定を行い、ブレッドボードモジュール１を使用するとき、第１の差込エリア２１を介して第２の差込エリア２３、電源エリア２５、デジタル回路エリア２６、アナログ回路エリア２７、及び信号伝送エリア２８と直感的に電子部品の挿入を行うことによって、ブレッドボードモジュール１の使用の利便性を向上し、迅速な差し込み効果を達成する。
【００２４】
以上、本考案を詳細に説明したが、以上の説明は、本考案における好ましい一実施形態にすぎず、本考案の実施範囲を限定するものではない。すなわち、本考案の登録請求の範囲に従って作成された同等な変更や補正は、本考案により保護しようとする範囲や実用新案権の範囲に含まれるべきである。
【符号の説明】
【００２５】
１          ブレッドボードモジュール
２          ブレッドボード
２１        第１の差込エリア
２１１      第１のソケット
２１２      端子群
２１２１    導電端子
２１２２    係合溝
２１３      リブ
２１４      外部リブ
２２        基板スロット
２２１      組立部
２３        第２の差込エリア
２３１      第２のソケット
２４        電池ボックス
２４１      電源部材
２５        電源エリア
２６        デジタル回路エリア
２７        アナログ回路エリア
２８        信号伝送エリア
３          回路基板
３１        サイド案内部
３１１      サイド案内溝
３２        差込部材
３３        組立孔
３４        発光素子
３４１      ランプシェード
４          蓋部
４１        貫通孔
４２        ランプ孔
４３        開口部
５          開発ボード
６          ブレッドボード
６１        差込蓋
６１１      ソケット
６２        回路基板
６２１      導電端子
６３        ベース
【図１】
0003231589.tif 000003
【図２】
0003231589.tif 000004
【図３】
0003231589.tif 000005
【図４】
0003231589.tif 000006
【図５】
0003231589.tif 000007
【図６】
0003231589.tif 000008